(57)【要約】【課題】どの自動車に乗車しても、いつもの使い慣れた方法でカーナビゲーションを操作することができる車両カスタマイズシステムを提供すること。【解決手段】カーナビゲーション装置は、端末設置部にユーザ端末が設置されたときに、ユーザ端末が保持する特定ユーザＩＤを送信し、カーナビゲーションの仕様に応じて動作し、その動作結果を表示部に表示する。情報サーバは、複数のユーザにおけるユーザＩＤと指定情報とが格納されたデータベースを備え、データベースを参照して、特定ユーザＩＤに対応する指定情報を選択指定情報として選択して送信する。選択指定情報は、特定ユーザが使い慣れたカーナビゲーションの仕様を表す慣用ユーザインターフェースを含んでいる。カーナビゲーション装置は、現在のユーザインターフェースを慣用ユーザインターフェースに変更し、その動作結果を表示部に表示する。【選択図】図１
2009229122.tif 000002
【特許請求の範囲】
【請求項１】
ネットワークに接続された情報サーバと、
前記ネットワークに接続され、特定ユーザを識別する特定ユーザＩＤを保持するユーザ端末と、
自動車に搭載され、前記特定ユーザが前記自動車に乗車したときに前記ユーザ端末を設置するための端末設置部と、
前記ネットワークに接続され、前記自動車に搭載されたカーナビゲーション装置と、
を具備し、
前記カーナビゲーション装置は、
自己を識別する識別子を保持する格納部と、
前記端末設置部に前記ユーザ端末が設置されたときに、前記ユーザ端末が保持する前記特定ユーザＩＤと、前記識別子と、を含む要求情報を前記情報サーバに送信するカーナビ通信部と、
表示部と、
カーナビゲーションの仕様に応じて動作し、その動作結果を前記表示部に表示するカーナビ制御部と、
を備え、
前記情報サーバは、
複数のユーザの各々を識別するユーザＩＤと、前記複数のユーザの各々により予め指定された指定情報と、が格納されたデータベースと、
前記要求情報を受信し、前記データベースを参照して、前記特定ユーザＩＤに対応する前記指定情報を選択指定情報として選択し、前記識別子に従って、前記選択指定情報を前記カーナビゲーション装置に送信するサーバ制御部と、
を備え、
前記選択指定情報は、
前記特定ユーザにより登録され、且つ、前記特定ユーザが使い慣れたカーナビゲーションの仕様を表す慣用ユーザインターフェース、
を含み、
前記カーナビ制御部は、
現在のユーザインターフェースを前記慣用ユーザインターフェースに変更し、その動作結果を前記表示部に表示する、
車両カスタマイズシステム。
【請求項２】
前記選択指定情報は、
前記特定ユーザにより登録され、且つ、前記特定ユーザが過去に利用した道路を表す複数のルート情報、
を更に含み、
前記カーナビ制御部は、
前記複数のルート情報のうちの１つのルート情報を選択させる画面を前記表示部に表示し、
前記特定ユーザにより前記１つのルート情報が選択されたとき、前記１つのルート情報が表すルートにより前記自動車を走行させるための案内を行う、
請求項１に記載の車両カスタマイズシステム。
【請求項３】
前記カーナビ制御部は、
前記特定ユーザにより新たなルートが指定されたとき、前記新たなルートにより前記自動車を走行させるための案内を行い、
前記カーナビ通信部は、
前記特定ユーザにより前記新たなルートの登録指示が行われた場合、前記ユーザ端末が保持する前記特定ユーザＩＤと、前記新たなルートを表す新規ルート情報と、を含むルート登録要求情報を前記情報サーバに送信し、
前記サーバ制御部は、
前記ルート登録要求情報を受信し、前記データベースを参照して、前記特定ユーザＩＤに対応する前記指定情報に、前記新規ルート情報を付加する、
請求項２に記載の車両カスタマイズシステム。
【請求項４】
前記選択指定情報は、
前記特定ユーザにより登録され、且つ、前記特定ユーザがお気に入りの音楽を表す複数の音楽情報、
を更に含み、
前記カーナビ制御部は、
前記複数の音楽情報のうちの１つの音楽情報を選択させる画面を前記表示部に表示し、
前記特定ユーザにより前記１つの音楽情報が選択されたとき、前記１つの音楽情報が表す音楽を前記自動車のスピーカから出力する、
請求項２又は３に記載の車両カスタマイズシステム。
【請求項５】
前記カーナビゲーション装置は、
音楽が記録された記録媒体を設置するための媒体設置部、
を更に具備し、
前記カーナビ制御部は、
前記媒体設置部に設置された前記記録媒体が前記特定ユーザにより指定されたとき、前記記録媒体に記録された音楽を前記自動車のスピーカから出力し、
前記カーナビ通信部は、
前記特定ユーザにより前記記録媒体に記録された音楽の登録指示が行われた場合、前記ユーザ端末が保持する前記特定ユーザＩＤと、前記記録媒体に記録された音楽を表す新規音楽情報と、を含む音楽登録要求情報を前記情報サーバに送信し、
前記サーバ制御部は、
前記音楽登録要求情報を受信し、前記データベースを参照して、前記特定ユーザＩＤに対応する前記指定情報に、前記新規音楽情報を付加する、
請求項４に記載の車両カスタマイズシステム。
【請求項６】
情報サーバと、特定ユーザを識別する特定ユーザＩＤを保持するユーザ端末と、自動車に搭載され、前記特定ユーザが前記自動車に乗車したときに前記ユーザ端末を設置するための端末設置部と、を具備し、
前記情報サーバは、複数のユーザの各々を識別するユーザＩＤと、前記複数のユーザの各々により予め指定された指定情報と、が格納されたデータベースを備え、特定ユーザＩＤと識別子とを含む要求情報を受信したときに、前記データベースを参照して、前記特定ユーザＩＤに対応する前記指定情報を選択指定情報として選択し、前記識別子に従って、前記選択指定情報を送信元に送信する、
車両カスタマイズシステムに適用され、前記情報サーバと前記ユーザ端末とにネットワークを介して接続され、前記自動車に搭載されたカーナビゲーション装置であって、
前記カーナビゲーション装置は、
自己を識別する識別子を保持する格納部と、
前記端末設置部に前記ユーザ端末が設置されたときに、前記ユーザ端末が保持する前記特定ユーザＩＤと、前記識別子と、を含む要求情報を前記情報サーバに送信するカーナビ通信部と、
表示部と、
カーナビゲーションの仕様に応じて動作し、その動作結果を前記表示部に表示するカーナビ制御部と、
を具備し、
前記選択指定情報は、
前記特定ユーザにより登録され、且つ、前記特定ユーザが使い慣れたカーナビゲーションの仕様を表す慣用ユーザインターフェース、
を含み、
前記カーナビ制御部は、
現在のユーザインターフェースを前記慣用ユーザインターフェースに変更し、その動作結果を前記表示部に表示する、
カーナビゲーション装置。
【請求項７】
前記選択指定情報は、
前記特定ユーザにより登録され、且つ、前記特定ユーザが過去に利用した道路を表す複数のルート情報、
を更に含み、
前記カーナビ制御部は、
前記複数のルート情報のうちの１つのルート情報を選択させる画面を前記表示部に表示し、
前記特定ユーザにより前記１つのルート情報が選択されたとき、前記１つのルート情報が表すルートにより前記自動車を走行させるための案内を行う、
請求項６に記載のカーナビゲーション装置。
【請求項８】
前記カーナビ制御部は、
前記特定ユーザにより新たなルートが指定されたとき、前記新たなルートにより前記自動車を走行させるための案内を行い、
前記カーナビ通信部は、
前記特定ユーザにより前記新たなルートの登録指示が行われた場合、前記データベースの前記特定ユーザＩＤに対応する前記指定情報に前記新たなルートを付加するために、前記ユーザ端末が保持する前記特定ユーザＩＤと、前記新たなルートを表す新規ルート情報と、を含むルート登録要求情報を前記情報サーバに送信する、
請求項７に記載のカーナビゲーション装置。
【請求項９】
前記選択指定情報は、
前記特定ユーザにより登録され、且つ、前記特定ユーザがお気に入りの音楽を表す複数の音楽情報、
を更に含み、
前記カーナビ制御部は、
前記複数の音楽情報のうちの１つの音楽情報を選択させる画面を前記表示部に表示し、
前記特定ユーザにより前記１つの音楽情報が選択されたとき、前記１つの音楽情報が表す音楽を前記自動車のスピーカから出力する、
請求項７又は８に記載のカーナビゲーション装置。
【請求項１０】
前記カーナビゲーション装置は、
音楽が記録された記録媒体を設置するための媒体設置部、
を更に具備し、
前記カーナビ制御部は、
前記媒体設置部に設置された前記記録媒体が前記特定ユーザにより指定されたとき、前記記録媒体に記録された音楽を前記自動車のスピーカから出力し、
前記カーナビ通信部は、
前記特定ユーザにより前記記録媒体に記録された音楽の登録指示が行われた場合、前記データベースの前記特定ユーザＩＤに対応する前記指定情報に、前記記録媒体に記録された音楽を付加するために、前記ユーザ端末が保持する前記特定ユーザＩＤと、前記記録媒体に記録された音楽を表す新規音楽情報と、を含む音楽登録要求情報を前記情報サーバに送信する、
請求項９に記載のカーナビゲーション装置。
【請求項１１】
情報サーバと、特定ユーザを識別する特定ユーザＩＤを保持するユーザ端末と、自動車に搭載され、前記特定ユーザが前記自動車に乗車したときに前記ユーザ端末を設置するための端末設置部と、を具備し、
前記情報サーバは、複数のユーザの各々を識別するユーザＩＤと、前記複数のユーザの各々により予め指定された指定情報と、が格納されたデータベースを備え、特定ユーザＩＤと識別子とを含む要求情報を受信したときに、前記データベースを参照して、前記特定ユーザＩＤに対応する前記指定情報を選択指定情報として選択し、前記識別子に従って、前記選択指定情報を送信元に送信する、
車両カスタマイズシステムに適用され、前記情報サーバと前記ユーザ端末とにネットワークを介して接続され、前記自動車に搭載されたコンピュータを用いる車両カスタマイズ方法であって、
前記端末設置部に前記ユーザ端末が設置されたときに、前記ユーザ端末が保持する前記特定ユーザＩＤと、自己を識別する識別子と、を含む要求情報を前記情報サーバに送信する第１ステップと、
カーナビゲーションの仕様に応じて動作し、その動作結果を表示部に表示する第２ステップと、
を具備し、
前記選択指定情報は、
前記特定ユーザにより登録され、且つ、前記特定ユーザが使い慣れたカーナビゲーションの仕様を表す慣用ユーザインターフェース、
を含み、
前記第２ステップは、
現在のユーザインターフェースを前記慣用ユーザインターフェースに変更し、その動作結果を前記表示部に表示する、
車両カスタマイズ方法。
【請求項１２】
前記選択指定情報は、
前記特定ユーザにより登録され、且つ、前記特定ユーザが過去に利用した道路を表す複数のルート情報、
を更に含み、
前記第２ステップは、
前記複数のルート情報のうちの１つのルート情報を選択させる画面を前記表示部に表示し、
前記特定ユーザにより前記１つのルート情報が選択されたとき、前記１つのルート情報が表すルートにより前記自動車を走行させるための案内を行う、
請求項１１に記載の車両カスタマイズ方法。
【請求項１３】
前記第２ステップは、
前記特定ユーザにより新たなルートが指定されたとき、前記新たなルートにより前記自動車を走行させるための案内を行い、
前記車両カスタマイズ方法は、
前記特定ユーザにより前記新たなルートの登録指示が行われた場合、前記データベースの前記特定ユーザＩＤに対応する前記指定情報に前記新たなルートを付加するために、前記ユーザ端末が保持する前記特定ユーザＩＤと、前記新たなルートを表す新規ルート情報と、を含むルート登録要求情報を前記情報サーバに送信するステップ、
を更に具備する請求項１２に記載の車両カスタマイズ方法。
【請求項１４】
前記選択指定情報は、
前記特定ユーザにより登録され、且つ、前記特定ユーザがお気に入りの音楽を表す複数の音楽情報、
を更に含み、
前記第２ステップは、
前記複数の音楽情報のうちの１つの音楽情報を選択させる画面を前記表示部に表示し、
前記特定ユーザにより前記１つの音楽情報が選択されたとき、前記１つの音楽情報が表す音楽を前記自動車のスピーカから出力する、
請求項１２又は１３に記載の車両カスタマイズ方法。
【請求項１５】
前記第２ステップは、
音楽が記録された記録媒体が前記特定ユーザにより媒体設置部に設置され、前記記録媒体が前記特定ユーザにより指定されたとき、前記記録媒体に記録された音楽を前記自動車のスピーカから出力し、
前記車両カスタマイズ方法は、
前記特定ユーザにより前記記録媒体に記録された音楽の登録指示が行われた場合、前記データベースの前記特定ユーザＩＤに対応する前記指定情報に、前記記録媒体に記録された音楽を付加するために、前記ユーザ端末が保持する前記特定ユーザＩＤと、前記記録媒体に記録された音楽を表す新規音楽情報と、を含む音楽登録要求情報を前記情報サーバに送信するステップ、
を更に具備する請求項１４に記載の車両カスタマイズ方法。
【請求項１６】
情報サーバと、特定ユーザを識別する特定ユーザＩＤを保持するユーザ端末と、自動車に搭載され、前記特定ユーザが前記自動車に乗車したときに前記ユーザ端末を設置するための端末設置部と、を具備し、
前記情報サーバは、複数のユーザの各々を識別するユーザＩＤと、前記複数のユーザの各々により予め指定された指定情報と、が格納されたデータベースを備え、特定ユーザＩＤと識別子とを含む要求情報を受信したときに、前記データベースを参照して、前記特定ユーザＩＤに対応する前記指定情報を選択指定情報として選択し、前記識別子に従って、前記選択指定情報を送信元に送信する、
車両カスタマイズシステムに適用され、前記情報サーバと前記ユーザ端末とにネットワークを介して接続され、前記自動車に搭載されたコンピュータに実行させるコンピュータプログラムであって、
前記端末設置部に前記ユーザ端末が設置されたときに、前記ユーザ端末が保持する前記特定ユーザＩＤと、自己を識別する識別子と、を含む要求情報を前記情報サーバに送信する第１ステップと、
カーナビゲーションの仕様に応じて動作し、その動作結果を表示部に表示する第２ステップと、
の各ステップを前記コンピュータに実行させ、
前記選択指定情報は、
前記特定ユーザにより登録され、且つ、前記特定ユーザが使い慣れたカーナビゲーションの仕様を表す慣用ユーザインターフェース、
を含み、
前記第２ステップは、
現在のユーザインターフェースを前記慣用ユーザインターフェースに変更し、その動作結果を前記表示部に表示する、
コンピュータプログラム。
【請求項１７】
前記選択指定情報は、
前記特定ユーザにより登録され、且つ、前記特定ユーザが過去に利用した道路を表す複数のルート情報、
を更に含み、
前記第２ステップは、
前記複数のルート情報のうちの１つのルート情報を選択させる画面を前記表示部に表示し、
前記特定ユーザにより前記１つのルート情報が選択されたとき、前記１つのルート情報が表すルートにより前記自動車を走行させるための案内を行う、
請求項１６に記載のコンピュータプログラム。
【請求項１８】
前記第２ステップは、
前記特定ユーザにより新たなルートが指定されたとき、前記新たなルートにより前記自動車を走行させるための案内を行い、
前記コンピュータプログラムは、
前記特定ユーザにより前記新たなルートの登録指示が行われた場合、前記データベースの前記特定ユーザＩＤに対応する前記指定情報に前記新たなルートを付加するために、前記ユーザ端末が保持する前記特定ユーザＩＤと、前記新たなルートを表す新規ルート情報と、を含むルート登録要求情報を前記情報サーバに送信するステップ、
を更に前記コンピュータに実行させる請求項１７に記載のコンピュータプログラム。
【請求項１９】
前記選択指定情報は、
前記特定ユーザにより登録され、且つ、前記特定ユーザがお気に入りの音楽を表す複数の音楽情報、
を更に含み、
前記第２ステップは、
前記複数の音楽情報のうちの１つの音楽情報を選択させる画面を前記表示部に表示し、
前記特定ユーザにより前記１つの音楽情報が選択されたとき、前記１つの音楽情報が表す音楽を前記自動車のスピーカから出力する、
請求項１７又は１８に記載のコンピュータプログラム。
【請求項２０】
前記第２ステップは、
音楽が記録された記録媒体が前記特定ユーザにより媒体設置部に設置され、前記記録媒体が前記特定ユーザにより指定されたとき、前記記録媒体に記録された音楽を前記自動車のスピーカから出力し、
前記コンピュータプログラムは、
前記特定ユーザにより前記記録媒体に記録された音楽の登録指示が行われた場合、前記データベースの前記特定ユーザＩＤに対応する前記指定情報に、前記記録媒体に記録された音楽を付加するために、前記ユーザ端末が保持する前記特定ユーザＩＤと、前記記録媒体に記録された音楽を表す新規音楽情報と、を含む音楽登録要求情報を前記情報サーバに送信するステップ、
を更に前記コンピュータに実行させる請求項１９に記載のコンピュータプログラム。
【発明の詳細な説明】
【技術分野】
【０００１】
本発明は、自動車に搭載されたカーナビゲーションを用いる車両カスタマイズシステムに関する。
【背景技術】
【０００２】
ユーザは、自身が所有する自動車に乗車したときに、その自動車に搭載されたカーナビゲーションを用いることにより、その自動車を快適に運転することができる。
【０００３】
しかし、ユーザは、自身が所有していない自動車（レンタカーや他人の車）を運転するとき、その自動車に搭載されたカーナビゲーションの操作方法が分からない場合がある。このような場合、ユーザが使い慣れたカーナビゲーションの仕様ではないため、ユーザは、その自動車を快適に運転することができない。どの自動車に乗車しても、いつもの使い慣れた方法でカーナビゲーションを操作することが望まれる。
【０００４】
カーナビゲーションに関連する技術について紹介する。
【０００５】
特開２００４−３４０５９６号公報には、共同利用型車載端末が記載されている（特許文献１）。共同利用型車載端末は、通信設備を備えた車載端末と、ネットワーク上にあるセンタ装置からなる通信型カーナビゲーションシステムである。この共同利用型車載端末は、利用者情報入力部と、通信処理部と、利用者データ蓄積部と、制御部を有している。利用者情報入力部は、利用者の個人識別子、パスワード、通信用端末のアドレス、利用するアクセスサーバのアドレスを含む利用者情報を入力する。通信処理部は、利用者情報をセンタ装置へ送信し、センタ装置より、該センタ装置に保管されていた当該利用者の地図データ、ＰＯＩデータ、車載端末設定情報を受信する。制御部は、通信処理部で受信された情報を利用者データ蓄積部に蓄積する。
【０００６】
【特許文献１】特開２００４−３４０５９６号公報（請求項１）
【発明の開示】
【発明が解決しようとする課題】
【０００７】
本発明の課題は、どの自動車に乗車しても、いつもの使い慣れた方法でカーナビゲーションを操作することができる車両カスタマイズシステムを提供することにある。
【課題を解決するための手段】
【０００８】
本発明の車両カスタマイズシステムは、情報サーバと、ユーザ端末と、端末設置部と、カーナビゲーション装置と、を具備している。情報サーバは、ネットワークに接続されている。ユーザ端末は、ネットワークに接続され、特定ユーザを識別する特定ユーザＩＤを保持している。端末設置部は、自動車に搭載され、特定ユーザが自動車に乗車したときにユーザ端末が設置される。カーナビゲーション装置は、ネットワークに接続され、自動車に搭載されている。カーナビゲーション装置は、格納部と、カーナビ通信部と、表示部と、カーナビ制御部と、を備えている。格納部は、自己を識別する識別子を保持する。カーナビ通信部は、端末設置部にユーザ端末が設置されたときに、ユーザ端末が保持する特定ユーザＩＤと、識別子と、を含む要求情報を情報サーバに送信する。カーナビ制御部は、カーナビゲーションの仕様に応じて動作し、その動作結果を表示部に表示する。情報サーバは、データベースと、サーバ制御部と、を備えている。データベースには、複数のユーザの各々を識別するユーザＩＤと、複数のユーザの各々により予め指定された指定情報と、が格納されている。サーバ制御部は、要求情報を受信し、データベースを参照して、特定ユーザＩＤに対応する指定情報を選択指定情報として選択し、識別子に従って、選択指定情報をカーナビゲーション装置に送信する。選択指定情報は、特定ユーザにより登録され、且つ、特定ユーザが使い慣れたカーナビゲーションの仕様を表す慣用ユーザインターフェース、を含んでいる。カーナビ制御部は、現在のユーザインターフェースを慣用ユーザインターフェースに変更し、その動作結果を表示部に表示する。
【発明の効果】
【０００９】
本発明の車両カスタマイズシステムによれば、上述の構成により、ドライバー（特定ユーザ）が、どの自動車（レンタカーや他人の車）に乗車しても、いつもの使い慣れた方法でカーナビゲーションを操作することができる。即ち、カーナビゲーションの操作方法が分からないことによって、出掛け先や旅先での貴重な時間を無駄にすることがない。
【発明を実施するための最良の形態】
【００１０】
以下に添付図面を参照して、本発明の実施形態による車両カスタマイズシステムについて詳細に説明する。
【００１１】
［構成］
図１は、本発明の実施形態による車両カスタマイズシステムの構成を示している。車両カスタマイズシステムは、情報サーバ１と、ユーザ端末２と、カーナビゲーション装置４と、端末設置部３と、を具備している。ユーザ端末２と情報サーバ１とカーナビゲーション装置４は、ネットワークに接続されている。
【００１２】
カーナビゲーション装置４と端末設置部３は、自動車Ａ〜Ｃに搭載されている。カーナビゲーション装置４は、端末設置部３に接続されている。端末設置部３は、特定ユーザが自動車Ａ〜Ｃに乗車したときにユーザ端末２を設置するためのものである。
【００１３】
端末設置部３が置台である場合、ユーザ端末２が置台上に置かれる。この場合、カーナビゲーション装置４は、ネットワークを介してユーザ端末２と通信を行う。端末設置部３は、単独の構成に限らず、カーナビゲーション装置４の構成の一部として、カーナビゲーション装置４に設けられ、ユーザ端末２とカーナビゲーション装置４とが端末設置部３を介して電気的に接続されてもよい。この場合、カーナビゲーション装置４は、端末設置部３を介してユーザ端末２と通信を行う。
【００１４】
ユーザ端末２は、携帯端末のようなコンピュータであり、ＣＰＵ（Ｃｅｎｔｒａｌ  Ｐｒｏｃｅｓｓｉｎｇ  Ｕｎｉｔ）である実行部２０と、実行部２０に実行させるためのコンピュータプログラムが格納されたメモリである格納部２１と、を備えている。実行部２０は、コンピュータが起動するときなどにコンピュータプログラムを格納部２１から読み取って実行する。格納部２１は、特定ユーザを識別する特定ユーザＩＤ２２を保持（格納）している。
【００１５】
カーナビゲーション装置４は、コンピュータであり、ＣＰＵである実行部４０と、実行部４０に実行させるためのコンピュータプログラムが格納されたメモリである格納部４１と、表示部４５と、を備えている。実行部４０は、コンピュータが起動するときなどにコンピュータプログラムを格納部４１から読み取って実行する。格納部４１は、自己を識別する識別子４４を保持（格納）している。コンピュータプログラムは、カーナビ基本動作実行部（図示省略）と、後述するカーナビ通信部４２、カーナビ制御部４３とを含んでいる。
【００１６】
カーナビ基本動作実行部は、カーナビゲーションの基本動作を実行するものである。カーナビ基本動作実行部は、地図を表す地図データを格納する機能と、ユーザが指定する出発地と目的地により、地図データを参照して出発地から目的地までのルートを表示部４５に提示（表示）する機能と、を有している。このようなカーナビゲーションの基本動作については公知であるため、それについての詳細な説明を省略する。
【００１７】
カーナビゲーション装置４は、更に、音楽が記録された記録媒体を設置するための媒体設置部４６と、を備えている。
【００１８】
情報サーバ１は、コンピュータであり、ＣＰＵである実行部１０と、実行部１０に実行させるためのコンピュータプログラムが格納されたメモリである格納部１１と、を備えている。実行部１０は、コンピュータが起動するときなどにコンピュータプログラムを格納部１１から読み取って実行する。コンピュータプログラムは、後述するサーバ制御部１３を含んでいる。格納部１１は、データベース１２を備えている。
【００１９】
図２は、データベース１２に格納される情報を示している。データベース１２には、複数のユーザの各々を識別するユーザＩＤと、複数のユーザの各々により予め指定された指定情報と、が格納されている。指定情報は、複数のユーザの各々により登録され、且つ、複数のユーザの各々が使い慣れたカーナビゲーションの仕様を表すユーザインターフェースを含んでいる。指定情報は、更に、複数のユーザの各々により登録され、且つ、複数のユーザの各々が過去に利用した道路を表す複数のルート情報を含んでいる。指定情報は、更に、複数のユーザの各々により登録され、且つ、複数のユーザの各々がお気に入りの音楽を表す複数の音楽情報を含んでいる。
【００２０】
［動作］
図３、図４は、本発明の実施形態による車両カスタマイズシステムの動作を示すフローチャートである。
【００２１】
ここで、自動車Ａは、複数のユーザのうちの、特定ユーザが所有する自動車であるものとする。自動車Ｂは、特定ユーザの親友や身内などの他人の自動車であるものとする。自動車Ｃは、レンタカーであるものとする。
【００２２】
例えば、特定ユーザは、自動車Ａに乗車する。このとき、特定ユーザは、自動車Ａ内の端末設置部３にユーザ端末２を設置する。
【００２３】
自動車Ａにおいて、カーナビゲーション装置４のカーナビ通信部４２は、端末設置部３にユーザ端末２が設置されたときに、ユーザ端末２が保持する特定ユーザＩＤ２２と、識別子４４と、を含む要求情報を情報サーバ１に送信する（ステップＳ１）。
【００２４】
ここで、ステップＳ１において、端末設置部３がカーナビゲーション装置４に設けられていない場合、カーナビ通信部４２は、ネットワークを介してユーザ端末２と通信を行うことにより、ユーザ端末２から特定ユーザＩＤ２２を取得し、要求情報（特定ユーザＩＤ２２、識別子４４）を情報サーバ１に送信する。一方、端末設置部３がカーナビゲーション装置４に設けられ、ユーザ端末２とカーナビゲーション装置４とが端末設置部３を介して電気的に接続されている場合、カーナビ通信部４２は、端末設置部３を介してユーザ端末２と通信を行うことにより、ユーザ端末２から特定ユーザＩＤ２２を取得し、要求情報（特定ユーザＩＤ２２、識別子４４）を情報サーバ１に送信する。
【００２５】
このとき、情報サーバ１のサーバ制御部１３は、要求情報を受信し、データベース１２を参照して、特定ユーザＩＤ２２に対応する指定情報を選択指定情報として選択し、識別子４４に従って、選択指定情報をカーナビゲーション装置４に送信する（ステップＳ２）。
【００２６】
自動車Ａにおいて、カーナビゲーション装置４のカーナビ制御部４３は、カーナビゲーションの仕様に応じて動作し、その動作結果を表示部４５に表示する（ステップＳ３）。
【００２７】
ここで、上記の選択指定情報は、特定ユーザにより登録され、且つ、特定ユーザが使い慣れたカーナビゲーションの仕様を表す慣用ユーザインターフェースを含んでいる。この場合、ステップＳ３において、カーナビゲーション装置４のカーナビ制御部４３は、現在のユーザインターフェースを慣用ユーザインターフェースに変更し、その動作結果を表示部４５に表示する。
【００２８】
上記の選択指定情報は、更に、特定ユーザにより登録され、且つ、特定ユーザが過去に利用した道路を表す複数のルート情報を含んでいる。即ち、カーナビゲーション装置４は、情報サーバ１からの複数のルート情報をダウンロードしている。この場合、ステップＳ３において、カーナビゲーション装置４のカーナビ制御部４３は、複数のルート情報のうちの１つのルート情報を選択させる画面を表示部４５に表示する。特定ユーザにより１つのルート情報が選択されたとき、カーナビ制御部４３は、１つのルート情報が表すルートにより自動車Ａを走行させるための案内を行う。
【００２９】
自動車Ａにおいて、いま、特定ユーザにより新たなルートが指定されたものとする。即ち、特定ユーザが、予定の変更などにより、上記１つのルート情報が表すルートを無視し、出発地と目的地とを指定するルート変更をカーナビゲーション装置４のカーナビ基本動作実行部に指示したものとする。この場合、カーナビ基本動作実行部は、自己が保持する地図データを参照して、出発地から目的地までのルート（新たなルート）を表示部４５に提示（表示）する。このとき、ステップＳ３において、カーナビゲーション装置４のカーナビ制御部４３は、新たなルートにより自動車Ａを走行させるための案内を行う。そこで、特定ユーザにより新たなルートの登録指示が行われた場合、カーナビゲーション装置４のカーナビ通信部４２は、ユーザ端末２が保持する特定ユーザＩＤ２２と、新たなルートを表す新規ルート情報と、を含むルート登録要求情報を情報サーバ１に送信する（ステップＳ１１）。即ち、カーナビゲーション装置４は、ルート登録要求情報を情報サーバ１に送信することにより、新規ルート情報をアップロードする。
【００３０】
このとき、情報サーバ１のサーバ制御部１３は、ルート登録要求情報を受信し、データベース１２を参照して、特定ユーザＩＤ２２に対応する指定情報に、新規ルート情報を付加する（ステップＳ１２）。
【００３１】
上記の選択指定情報は、更に、特定ユーザにより登録され、且つ、特定ユーザがお気に入りの音楽を表す複数の音楽情報を含んでいる。即ち、カーナビゲーション装置４は、情報サーバ１からの複数の音楽情報をダウンロードしている。この場合、ステップＳ３において、カーナビゲーション装置４のカーナビ制御部４３は、複数の音楽情報のうちの１つの音楽情報を選択させる画面を表示部４５に表示する。特定ユーザにより１つの音楽情報が選択されたとき、カーナビ制御部４３は、１つの音楽情報が表す音楽を自動車Ａのスピーカから出力する。
【００３２】
自動車Ａにおいて、いま、音楽が記録された記録媒体が特定ユーザにより媒体設置部４６に設置され、その記録媒体が特定ユーザにより指定されたものとする。このとき、ステップＳ３において、カーナビゲーション装置４のカーナビ制御部４３は、記録媒体に記録された音楽を自動車Ａのスピーカから出力する。そこで、特定ユーザにより記録媒体に記録された音楽の登録指示が行われた場合、カーナビゲーション装置４のカーナビ通信部４２は、ユーザ端末２が保持する特定ユーザＩＤ２２と、記録媒体に記録された音楽を表す新規音楽情報と、を含む音楽登録要求情報を情報サーバ１に送信する（ステップＳ１１）。即ち、カーナビゲーション装置４は、音楽登録要求情報を情報サーバ１に送信することにより、新規音楽情報をアップロードする。
【００３３】
このとき、情報サーバ１のサーバ制御部１３は、音楽登録要求情報を受信し、データベース１２を参照して、特定ユーザＩＤ２２に対応する指定情報に、新規音楽情報を付加する（ステップＳ１２）。
【００３４】
例えば、特定ユーザは、親友や身内などの自動車Ｂ（他人の車）を借りて乗車する。又は、旅先などで自動車Ｃ（レンタカー）を借りて乗車する。この場合でも、本発明の実施形態による車両カスタマイズシステムは、上述のステップＳ１〜Ｓ３、Ｓ１１、Ｓ１２を実行する。即ち、本発明の実施形態による車両カスタマイズシステムでは、ナビゲーションの慣用ユーザインターフェース、複数のルート情報、複数の音楽情報等をダウンロードし、ドライバー（特定ユーザ）が普段と変わらない方法でカーナビゲーション装置４を操作し、目的地を設定したり、好みの音楽を聴いたりすることができる。
【００３５】
［効果］
本発明の実施形態による車両カスタマイズシステムの効果について説明する。
【００３６】
従来では、ユーザは、自身が所有していない自動車（レンタカーや他人の車）を運転するとき、その自動車に搭載されたカーナビゲーションの操作方法が分からない場合がある。このような場合、ユーザが使い慣れたカーナビゲーションの仕様ではないため、ユーザは、その自動車を快適に運転することができない。
【００３７】
一方、本発明の実施形態による車両カスタマイズシステムによれば、上述の構成により、ドライバー（特定ユーザ）が、どの自動車（レンタカーや他人の車）に乗車しても、いつもの使い慣れた方法でカーナビゲーションを操作することができる。即ち、カーナビゲーションの操作方法が分からないことによって、出掛け先や旅先での貴重な時間を無駄にすることがない。
【００３８】
また、本発明の実施形態による車両カスタマイズシステムによれば、カーナビゲーションの機能を使いこなすことがなく、最低限の操作ができればよいと考えるドライバー（特定ユーザ）には、シンプルモードのような必要な機能のみを表示させることによって、使いやすさを更に向上させる。
【００３９】
従来では、ユーザは、ＣＤ（Ｃｏｍｐａｃｔ  Ｄｉｓｃ）を忘れるなどした場合、自身が運転中にいつも聴いている音楽を聴くことができない。
【００４０】
一方、本発明の実施形態による車両カスタマイズシステムによれば、上述の構成により、ドライバー（特定ユーザ）が、どの自動車（レンタカーや他人の車）を運転しても、自身が運転中にいつも聴いている音楽を聴くことができる。即ち、ＣＤを忘れるなどしたため、ラジオしか聞けないといった不満を解消することができる。
【図面の簡単な説明】
【００４１】
【図１】図１は、本発明の実施形態による車両カスタマイズシステムの構成を示している。
【図２】図２は、データベース１２に格納される情報を示している。
【図３】図３は、本発明の実施形態による車両カスタマイズシステムの動作を示すフローチャートである。
【図４】図４は、本発明の実施形態による車両カスタマイズシステムの動作を示すフローチャートである。
【符号の説明】
【００４２】
１    情報サーバ、
１０    実行部、
１１    格納部、
１２    データベース、
１３    サーバ制御部、
２    ユーザ端末、
２０    実行部、
２１    格納部、
２２    特定ユーザＩＤ、
３    端末設置部、
４    カーナビゲーション装置、
４０    実行部、
４１    格納部、
４２    カーナビ通信部、
４３    カーナビ制御部、
４４    識別子、
４５    表示部、
４６    媒体設置部、
【図１】
2009229122.tif 000003
【図２】
2009229122.tif 000004
【図３】
2009229122.tif 000005
【図４】
2009229122.tif 000006